(57)【要約】【課題】狭空間清掃性に優れる清掃具を提供すること。【解決手段】清掃ヘッド３と、ブラケット５と、柄軸ＲＡ4を有する清掃具用柄７とを備える清掃具１であって、清掃ヘッド３が、清掃面１１１と、ヘッド回転軸ＲＡ1を備えているブラケット用孔１１７とを備えており、ブラケット５が、ブラケット用孔１１７に回転可能に連結されているヘッド連結部２０１と、清掃具用柄７に連結されている柄連結部２０３と、離間部２０５とを備えており、清掃具用柄７が、清掃具用柄７を、少なくともブラケット仮想面ＩＳB上を回転可能とする回転部３０１であって、柄連結部２０３に連結されているものを備えており、清掃ヘッド３、ブラケット５及び清掃具用柄７を、平面方向Ｐ、ブラケット仮想面ＩＳB及び柄軸ＲＡ4が平行になるように保持した状態において、（ｉ）厚さ方向Ｔにおける、回転部３０１の厚さが、清掃ヘッド３の厚さと同一又は薄いことを特徴とする清掃具１。【選択図】図１４
2020075061.tif 000002
【特許請求の範囲】
【請求項１】
清掃ヘッドと、ブラケットと、柄軸を有する清掃具用柄とを備える清掃具であって、
前記清掃ヘッドが、平面方向及び厚さ方向を備えている板状の形状を有するとともに、前記平面方向に沿う方向に延びている清掃面と、前記平面方向に沿う方向に延びているヘッド回転軸を備えているブラケット用孔とを備えており、
前記ブラケットが、棒状の部材から構成されているとともに、前記ブラケット用孔に回転可能に連結されているヘッド連結部と、前記清掃具用柄に連結されている柄連結部と、前記ヘッド連結部及び柄連結部を離間させている離間部とを備えており、前記ヘッド連結部及び柄連結部は、同一のブラケット仮想面上に配置されており、
前記清掃具用柄が、前記清掃具用柄を、少なくとも前記ブラケット仮想面上を回転可能とする回転部であって、前記柄連結部に連結されているものを備えており、
前記清掃ヘッド、前記ブラケット及び前記清掃具用柄を、前記平面方向、前記ブラケット仮想面及び前記柄軸が平行になるように保持した状態において、
（ｉ）前記厚さ方向における、前記回転部の厚さが、前記清掃ヘッドの厚さと同一であるか、又は薄い、
ことを特徴とする、前記清掃具。
【請求項２】
前記清掃ヘッド、前記ブラケット及び前記清掃具用柄を、前記平面方向、前記ブラケット仮想面及び前記柄軸が平行になるように保持した状態において、
（ｉｉ）前記厚さ方向における、前記回転部の厚さが、前記清掃具用柄の厚さと同一であるか、又は小さい、
請求項１に記載の清掃具。
【請求項３】
前記回転部が、前記ブラケット仮想面と直交する回転軸を備えている、一対の第１継手部及び第２継手部であって、第１継手部が、前記柄連結部に連結されているものを備えており、前記清掃具用柄が、前記ブラケット仮想面上を回転可能であるように構成されている、請求項１又は２に記載の清掃具。
【請求項４】
第１継手部が、前記ブラケットの前記柄連結部の外周を一周する囲繞部と、前記囲繞部から、前記柄連結部から遠ざかる方向に突出する第１接合部材であって第１開口部を備えるものとを備えており、
第２継手部が、所定の距離離間している一対の第２接合部材であって、そのそれぞれが第２開口部を備えるものを備えており、
第１継手部及び第２継手部が、一対の第２接合部材の間に第１接合部材を挟み込むとともに、第１開口部及び第２開口部に固定具を貫通させることにより、回転可能に固定されている、請求項３に記載の清掃具。
【請求項５】
前記清掃ヘッド、前記ブラケット及び前記清掃具用柄を、前記平面方向、前記ブラケット仮想面及び前記柄軸が平行になるように保持した状態において、
（ｉｉｉ）前記厚さ方向における、前記囲繞部の厚さａと、第１接合部材の厚さｂとが、次の式：
０．４０≦ｂ／ａ≦１．００
の関係を有する、
請求項４に記載の清掃具。
【請求項６】
前記清掃ヘッド、前記ブラケット及び前記清掃具用柄を、前記平面方向、前記ブラケット仮想面及び前記柄軸が平行になるように保持した状態において、
（ｉｖ）前記厚さ方向における、前記囲繞部の厚さａと、前記ブラケットの厚さｃとが、次の式：
０．２０≦ｃ／ａ≦０．７０
の関係を有する、
請求項４又は５に記載の清掃具。
【請求項７】
前記清掃ヘッド、前記ブラケット及び前記清掃具用柄を、前記平面方向、前記ブラケット仮想面及び前記柄軸が平行になるように保持した状態において、
（ｖ）前記厚さ方向における、第１接合部材の厚さｂと、第２継手部の厚さｄとが、次の式：
０．３０≦ｂ／ｄ≦０．８０
の関係を有する、
請求項４〜６のいずれか一項に記載の清掃具。
【請求項８】
清掃シートの、前記清掃シートを保持可能な清掃ヘッドを備える清掃具への使用であって、
前記清掃具が、請求項１〜７のいずれか一項に記載の清掃具である、
ことを特徴とする、前記使用。
【請求項９】
請求項１〜７のいずれか一項の清掃具用の清掃シートであって、
前記清掃ヘッドが、前記清掃シートを保持可能なように構成されており、
前記清掃シートが、前記清掃ヘッドに保持されるように構成されている、
前記清掃シート。
【発明の詳細な説明】
【技術分野】
【０００１】
本開示は、清掃具、清掃シートの、上記清掃具への使用、及び上記清掃具用の清掃シートに関する。
【背景技術】
【０００２】
清掃シートをヘッドに取り付けるタイプの清掃具が知られている。
例えば、特許文献１には、清掃シートを挟み込むスリットが形成された本体と、前記本体が回動自在に支承された略コ字状に形成された支持アームと、前記支持アームの端部が自在継手を介して連結されたハンドルと、が備えられていることを特徴とする清掃用具が開示されている。
【０００３】
特許文献１の図１に記載される清掃用具Ａは、特許文献１の段落［００１４］に記載されるように、清掃シートＳを挟み込むスリットが形成された本体１と、前記本体が回動自在に支承された略コ字状に形成された支持アーム２と、前記支持アーム２の端部が自在継手３を介して連結されたハンドル４と、から構成されている。また、ハンドル４の上端部には、持ち易いように、取っ手５が装着されている。
【０００４】
特許文献１に記載の清掃用具Ａでは、特許文献１の段落［００２２］及び図８に示されるように、床などの広い面を拭く場合には、広い払拭面を持つ下カバー体２２を下方に向けて掃除を行うものである。
また、特許文献１に記載の清掃用具Ａは、特許文献１の段落［００２４］及び図９に示されるように、本体１を９０度回転させて横面を使用して掃除ができる。
【０００５】
また、特許文献１の段落［００２１］には、「また、支持アーム２とハンドル４を１８０度回動自在に接続する自在継手３は、図７に示すように、下方に支持アーム２の端部２ａを挿入固定する固定部３ａが形成されており、この固定部３ａにより支持アーム２を固定するものである。そして、ハンドル４の下端部に形成された支承部４ａの軸孔４ｂに、突起軸３ａを挿入することにより、ハンドル４が支持アーム２に対して相対的に回動可能に軸支されるものである。」ことが記載されている。
【先行技術文献】
【特許文献】
【０００６】
【特許文献１】実用新案登録第３１５２６３２号公報
【発明の概要】
【発明が解決しようとする課題】
【０００７】
特許文献１に記載の清掃用具Ａでは、本体１の厚さよりも、自在継手３及びハンドル４の下端部の連結部分の厚さが厚いため、所定の幅を有する狭空間を清掃する際に、上記連結部分が、上記所定の幅を超え、本体１が狭空間に入ったとしても、連結部分が狭空間に入らない場合が有り、そして連結部分が、狭空間を傷つける恐れがあった。
従って、本開示は、狭空間清掃性に優れる清掃具を提供することを目的とする。
【課題を解決するための手段】
【０００８】
本開示者らは、清掃ヘッドと、ブラケットと、柄軸を有する清掃具用柄とを備える清掃具であって、上記清掃ヘッドが、平面方向及び厚さ方向を備えている板状の形状を有するとともに、上記平面方向に沿う方向に延びている清掃面と、上記平面方向に沿う方向に延びているヘッド回転軸を備えているブラケット用孔とを備えており、上記ブラケットが、棒状の部材から構成されているとともに、上記ブラケット用孔に回転可能に連結されているヘッド連結部と、上記清掃具用柄に連結されている柄連結部と、上記ヘッド連結部及び柄連結部を離間させている離間部とを備えており、上記ヘッド連結部及び柄連結部は、同一のブラケット仮想面上に配置されており、上記清掃具用柄が、上記清掃具用柄を、少なくとも上記ブラケット仮想面上を回転可能とする回転部であって、上記柄連結部に連結されているものを備えており、上記清掃ヘッド、上記ブラケット及び上記清掃具用柄を、上記平面方向、上記ブラケット仮想面及び上記柄軸が平行になるように保持した状態において、（ｉ）上記厚さ方向における、上記回転部の厚さが、上記清掃ヘッドの厚さと同一であるか、又は薄いことを特徴とする清掃具を見出した。
【発明の効果】
【０００９】
本開示の清掃具は、狭空間清掃性に優れる。
【図面の簡単な説明】
【００１０】
【図１】図１は、第１実施形態に従う清掃具１の斜視図である。
【図２】図２は、清掃ヘッド３の斜視図である。
【図３】図３は、狭空間清掃形態における清掃具１の正面図である。
【図４】図４は、狭空間清掃形態における清掃具１の背面図である。
【図５】図５は、展開形態における清掃ヘッド３の第１内面１２９及び第２内面１３９側の展開図である。
【図６】図６は、清掃ヘッド３の、図５のＶＩ−ＶＩ断面における断面図である。
【図７】図７は、展開形態における清掃ヘッド３の第１外面１２７及び第２外面１３７側の展開図である。
【図８】図８は、ブラケット５の斜視図である。
【図９】図９は、図８のＩＸ−ＩＸ断面における断面図である。
【図１０】図１０は、第１継手部３０３の斜視図である。
【図１１】図１１は、図１０のＸＩ−ＸＩ断面における断面図である。
【図１２】図１２は、第２継手部３０５の斜視図である。
【図１３】図１３は、図１２のＸＩＩＩ−ＸＩＩＩ断面における断面図である。
【図１４】図１４は、清掃具１の側面（ブラケット用孔１１７側の側面）の部分拡大図である。
【図１５】図１５は、清掃シート３１を清掃ヘッド３に取り付ける方法を説明するための図である。
【図１６】図１６は、清掃シート３１を清掃ヘッド３に取り付ける方法を説明するための図である。
【図１７】図１７は、清掃シート３１を清掃ヘッド３に取り付ける方法を説明するための図である。
【図１８】図１８は、広空間清掃形態における清掃具１を説明するための図である。
【図１９】図１９は、狭空間清掃形態における清掃具１を説明するための図である。
【発明を実施するための形態】
【００１１】
［定義］
・「狭空間」及び「広空間」
本明細書では、狭い空間を「狭空間」と称し、狭空間の中で、垂直方向に沿う方向に延びており且つ水平方向に沿う方向に狭空間を「垂直方向狭空間」と称し、そして水平方向に沿う方向に延びており且つ垂直方向に沿う方向に狭空間を「水平方向狭空間」と称する場合がある。また、狭空間を構成する面を「被清掃面」と称する場合があり、そして異なる方向に延在する２つの被清掃面が交差する部分を「隅部」と称する場合がある。
なお、上記被清掃面としては、例えば、壁、床面、家具の頂面、側面及び底面、電化製品の頂面、側面及び底面等が挙げられる。
また、狭空間のうち、狭空間を構成する被清掃面間の最短距離（例えば、垂直方向狭空間における水平方向に沿う方向に延びている被清掃面間の最短距離、水平方向狭空間における垂直方向に沿う方向に延びている被清掃面間の最短距離）を、単に「幅」と称することがある。
また、本明細書では、広い空間を「広空間」と称する場合がある。
【００１２】
・対象物に関する「所定の方向に沿う」
本明細書では、対象物に関して「所定の方向に沿う」とは、対象物が、所定の方向と直交する直交方向よりも、所定の方向に近い方向に延びていることを意味し、そして具体的には、対象物が、所定の方向と、好ましくは４５°未満、より好ましくは３０°以下、さらに好ましくは２０°以下、そしてさらにいっそう好ましくは５°以下の交差角を有するように延びていることを意味する。
なお、本明細書では、交差角が５°以下である場合に、「所定の方向と平行」と称する場合がある。
【００１３】
上記所定の方向としては、例えば、水平方向、垂直方向、平面方向、長手方向、短手方向、厚さ方向等が挙げられる。
例えば、対象物である被清掃面が、「垂直方向に沿う」とは、被清掃面が、垂直方向と、好ましくは４５°未満、より好ましくは３０°以下、さらに好ましくは２０°以下、そしてさらにいっそう好ましくは５°以下の交差角を有するように延びていることを意味する。
【００１４】
・対象物に関する「所定の線に沿う」
本明細書では、対象物に関して「所定の線に沿う」とは、対象物が、所定の線と直交する直交方向よりも、所定の線に近い方向に延びていることを意味し、そして具体的には、対象物が、所定の線と、好ましくは４５°未満、より好ましくは３０°以下、さらに好ましくは２０°以下、そしてさらにいっそう好ましくは５°以下の交差角を有するように延びていることを意味する。
なお、本明細書では、交差角が５°以下である場合に、「所定の線と平行」と称する場合がある。
【００１５】
上記所定の線としては、例えば、軸、例えば、ヘッド回転軸、挟持部回転軸、柄回転軸等が挙げられる。
例えば、対象物であるおもりが、「ヘッド回転軸に沿う」とは、おもりが、ヘッド回転軸と、好ましくは４５°未満、より好ましくは３０°以下、さらに好ましくは２０°以下、そしてさらにいっそう好ましくは５°以下の交差角を有するように延びていることを意味する。
【００１６】
・「水平方向清掃性」及び「垂直方向清掃性」
本明細書では、「水平方向清掃性」は、水平方向に沿う方向に延びている被清掃面の清掃性を意味し、「垂直方向清掃性」は、垂直方向に沿う方向に延びている被清掃面の清掃性を意味する。
・「狭空間清掃性」
本明細書では、「狭空間清掃性」は、狭空間を構成する被清掃面の清掃性を意味する。また、本明細書では、垂直方向狭空間及び水平方向狭空間を構成する被清掃面の清掃性を、それぞれ、「垂直方向狭空間清掃性」及び「水平方向狭空間清掃性」と称する。
・「清掃面切替性」
本明細書では、「清掃面切替性」は、清掃面（第１清掃面から第２清掃面へ、又は第２清掃面から第１清掃面へ）の切替性を意味する。
【００１７】
・清掃具に関する「狭空間清掃形態」、「広空間清掃形態」
本明細書では、清掃具に関する「狭空間清掃形態」は、清掃具を用いて狭空間を清掃するための形態で有り、清掃ヘッド、ブラケット及び清掃具用柄を、清掃ヘッドの平面方向、ブラケット仮想面及び柄軸が、平行になる(好ましくは、同一平面上に存在する）ように保持した形態を意味する。なお、清掃ヘッド及びブラケットを、清掃ヘッドの平面方向及びブラケット仮想面が、平行になる(好ましくは、同一平面上に存在する）ように保持することを、清掃ヘッドの平面方向及びブラケットのブラケット仮想面を一致させると称する場合がある。
なお、本明細書では、清掃ヘッドの平面方向、ヘッド回転部材仮想面及び／又は柄軸に関する平行は、それらの交差角が１０°以下、好ましくは５°以下、そしてさらに好ましくは０°であることを意味する。
【００１８】
本明細書では、清掃具に関する「広空間清掃形態」は、清掃ヘッドの平面方向を、ブラケットのブラケット仮想面と交差するように保持した形態を意味するものとする。
なお、上記定義は、清掃具を用いて狭空間及び広空間を清掃する際の典型的な形態を意味するものであり、清掃具を用いた清掃の形態を限定するものではない。
【００１９】
・挟持部に関する「閉鎖形態」及び「展開形態」
本明細書では、挟持部に関する「閉鎖形態」は、清掃ヘッドが挟持部を備えている場合に、挟持部が閉じている形態を意味する。また、挟持部が、回転端及び開閉端を有する、第１挟持部分及び第２挟持部分を備えている場合には、挟持部に関する「閉鎖形態」は、開閉端が閉じている形態を意味する。
本明細書では、挟持部に関する「展開形態」は、清掃ヘッドが挟持部を備えている場合に、挟持部が開いている形態を意味する。また、挟持部が、回転端及び開閉端を有する、第１挟持部分及び第２挟持部分を備えている場合には、挟持部に関する「展開形態」は、開閉端が閉じていない形態、特に、第１挟持部分の開閉端を構成する部分と、第２挟持部分の開閉端を構成する部分とが最も遠い位置に存在する形態を意味する。
なお、閉鎖形態及び展開形態ともに、挟持部は、清掃シートを挟持していてもよく、そして清掃シートを挟持していなくともよい。
【００２０】
・清掃ヘッドに関する「起立」
本明細書では、清掃ヘッドに関する起立は、清掃ヘッドが、その平面方向が水平方向に沿う方向に延びている状態から、その平面方向が垂直方向に沿う方向に延びている状態に清掃ヘッドを回転させることを意味する。例えば、清掃ヘッドを持ち上げ、その平面方向が水平方向に沿う方向に延びている状態から、その平面方向が垂直方向に沿う方向に延びている状態に回転させ、清掃ヘッドを起立させることができる。
【００２１】
・「内方」及び「外方」
本明細書では、「内方」及び「外方」は、それぞれ、所定の線、例えば、中心線（例えば、長手方向中心線、短手方向中心線、厚さ方向中心線等）、軸（例えば、回転軸、例えば、ヘッド回転軸、挟持部回転軸、柄回転軸、柄軸等）等を有する対象物において、所定の線に近づく方向及び軸から遠ざかる方向を意味する。例えば、長手方向の内方とは、長手方向のうち、短手方向に延びている長手方向中心線に近づく方向を意味する。
【００２２】
・「内方の位置」及び「外方の位置」
また、本明細書では、一方が、他方より「内方の位置」に配置されていることは、一方が、他方よりも、対象となる所定の線に近い位置に配置されていることを意味し、そして一方が、他方より「外方の位置」に配置されていることは、一方が、他方よりも、対象となる所定の線に遠い位置に配置されていることを意味する。
【００２３】
具体的には、本開示は以下の態様に関する。
［態様１］
清掃ヘッドと、ブラケットと、柄軸を有する清掃具用柄とを備える清掃具であって、
上記清掃ヘッドが、平面方向及び厚さ方向を備えている板状の形状を有するとともに、上記平面方向に沿う方向に延びている清掃面と、上記平面方向に沿う方向に延びているヘッド回転軸を備えているブラケット用孔とを備えており、
上記ブラケットが、棒状の部材から構成されているとともに、上記ブラケット用孔に回転可能に連結されているヘッド連結部と、上記清掃具用柄に連結されている柄連結部と、上記ヘッド連結部及び柄連結部を離間させている離間部とを備えており、上記ヘッド連結部及び柄連結部は、同一のブラケット仮想面上に配置されており、
上記清掃具用柄が、上記清掃具用柄を、少なくとも上記ブラケット仮想面上を回転可能とする回転部であって、上記柄連結部に連結されているものを備えており、
上記清掃ヘッド、上記ブラケット及び上記清掃具用柄を、上記平面方向、上記ブラケット仮想面及び上記柄軸が平行になるように保持した状態において、
（ｉ）上記厚さ方向における、上記回転部の厚さが、上記清掃ヘッドの厚さと同一であるか、又は薄い、
ことを特徴とする、上記清掃具。
【００２４】
上記清掃具では、狭空間清掃形態における清掃具の厚さ方向において、回転部の厚さが、清掃ヘッドの厚さと同一以下である。従って、清掃ヘッドを狭空間清掃形態で保持し、狭空間を清掃する場合に、回転部が、清掃ヘッドが狭空間に入ることを阻害しにくく、そして回転部が、狭空間を構成する被清掃面を傷つけにくい。以上より、上記清掃具は、狭空間清掃性に優れる。
【００２５】
［態様２］
上記清掃ヘッド、上記ブラケット及び上記清掃具用柄を、上記平面方向、上記ブラケット仮想面及び上記柄軸が平行になるように保持した状態において、
（ｉｉ）上記厚さ方向における、上記回転部の厚さが、上記清掃具用柄の厚さと同一であるか、又は小さい、
態様１に記載の清掃具。
【００２６】
上記清掃具では、狭空間清掃形態における清掃具の厚さ方向において、回転部の厚さが、清掃具用柄の厚さと同一以下である。従って、上記清掃具を、清掃ヘッドを狭空間清掃形態で保持し、垂直方向狭空間を清掃する場合には、回転部が、清掃ヘッド及び清掃具用柄が上記狭空間に入ることを阻害しにくく、そして回転部が、上記垂直方向狭空間を構成する被清掃面を傷つけにくい。
【００２７】
また、回転部の厚さが、清掃具用柄の厚さよりも厚い清掃具を用いて、水平方向狭空間、特に清掃ヘッドの厚さに近い幅を有する水平方向狭空間を清掃する場合には、回転部が、水平方向狭空間を構成する被清掃面と接触し、清掃ヘッドが浮いてしまうときがあるが、上記清掃具を、清掃ヘッドを狭空間清掃形態で保持し、水平方向狭空間を清掃する場合には、回転部が、水平方向狭空間を構成する被清掃面に接触しにくく、清掃ヘッドが浮きにくい。
以上より、上記清掃具は、狭空間清掃性に優れる。
【００２８】
［態様３］
上記回転部が、上記ブラケット仮想面と直交する回転軸を備えている、一対の第１継手部及び第２継手部であって、第１継手部が、上記柄連結部に連結されているものを備えており、上記清掃具用柄が、上記ブラケット仮想面上を回転可能であるように構成されている、態様１又は２に記載の清掃具。
【００２９】
上記清掃具では、回転部が、一対の第１継手部及び第２継手部を備えているとともに、上記ブラケット仮想面と直交する回転軸を備えており、上記ブラケット仮想面上を回転可能であるように構成されている。従って、上記清掃具は、回転部の構造を単純化させることができるとともに、清掃具を、狭空間清掃形態に変形させやすくなる。
【００３０】
［態様４］
第１継手部が、上記ブラケットの上記柄連結部の外周を一周する囲繞部と、上記囲繞部から、上記柄連結部から遠ざかる方向に突出する第１接合部材であって第１開口部を備えるものとを備えており、
第２継手部が、所定の距離離間している一対の第２接合部材であって、そのそれぞれが第２開口部を備えるものを備えており、
第１継手部及び第２継手部が、一対の第２接合部材の間に第１接合部材を挟み込むとともに、第１開口部及び第２開口部に固定具を貫通させることにより、回転可能に固定されている、態様３に記載の清掃具。
【００３１】
上記清掃具では、所定の形状を有する第１継手部及び第２継手部が回転可能に固定されている。従って、上記清掃具を狭空間清掃形態に保持した場合に、厚さ方向において、第１継手部及び第２継手部の連結部分の厚さを薄くすることができるとともに、当該連結部分の強度を保持することができ、ひいては、清掃具が、狭空間清掃性に優れる。
【００３２】
［態様５］
上記清掃ヘッド、上記ブラケット及び上記清掃具用柄を、上記平面方向、上記ブラケット仮想面及び上記柄軸が平行になるように保持した状態において、
（ｉｉｉ）上記厚さ方向における、上記囲繞部の厚さａと、第１接合部材の厚さｂとが、次の式：
０．４０≦ｂ／ａ≦１．００
の関係を有する、
態様４に記載の清掃具。
【００３３】
上記清掃具では、囲繞部及び突出部が所定の関係を有するため、狭空間清掃形態における清掃具において、第１継手部の厚さを薄くできるとともに、第１継手部の強度を保持することができ、ひいては、清掃具が、狭空間清掃性に優れる。
【００３４】
［態様６］
上記清掃ヘッド、上記ブラケット及び上記清掃具用柄を、上記平面方向、上記ブラケット仮想面及び上記柄軸が平行になるように保持した状態において、
（ｉｖ）上記厚さ方向における、上記囲繞部の厚さａと、上記ブラケットの厚さｃとが、次の式：
０．２０≦ｃ／ａ≦０．７０
の関係を有する、
態様４又は５に記載の清掃具。
【００３５】
上記清掃具では、囲繞部及びブラケットが所定の関係を有するため、狭空間清掃形態における清掃具において、第１継手部の厚さを薄くできるとともに、第１継手部及びブラケットの接合の強度を保持することができ、ひいては、清掃具が、狭空間清掃性に優れる。また、ブラケット及び第１継手部を、種々の素材から選択することができる（素材の選択の幅が広がる）。
【００３６】
［態様７］
上記清掃ヘッド、上記ブラケット及び上記清掃具用柄を、上記平面方向、上記ブラケット仮想面及び上記柄軸が平行になるように保持した状態において、
（ｖ）上記厚さ方向における、第１接合部材の厚さｂと、第２継手部の厚さｄとが、次の式：
０．３０≦ｂ／ｄ≦０．８０
の関係を有する、
態様４〜６のいずれか一項に記載の清掃具。
【００３７】
上記清掃具では、第１継手部の突出部及び第２継手部が所定の関係を有するため、狭空間清掃形態における清掃具において、第１継手部及び第２継手部が、薄さに優れるとともに、第１継手部及び第２継手部の連結部分の強度を確保することができる。
【００３８】
［態様８］
清掃シートの、上記清掃シートを保持可能な清掃ヘッドを備える清掃具への使用であって、
上記清掃具が、態様１〜７のいずれか一項に記載の清掃具である、
ことを特徴とする、上記使用。
上記使用は、態様１〜７と同様の効果を有する。
【００３９】
態様１〜７のいずれか一項の清掃具用の清掃シートであって、
上記清掃ヘッドが、上記清掃シートを保持可能なように構成されており、
上記清掃シートが、上記清掃ヘッドに保持されるように構成されている、
上記清掃シート。
上記清掃シートは、所定の清掃ヘッドに保持されるように構成されており、態様１と同様の効果を有する。
【００４０】
本開示の、清掃具用の清掃ヘッド（以下、「清掃具用の清掃ヘッド」を、単に『清掃ヘッド』と称する場合がある）、本開示の、清掃ヘッドを備える清掃具（以下、「清掃ヘッドを備える清掃具」を、単に『清掃具』と称する場合がある）、本開示の、清掃シートの、上記清掃具への使用（以下、「清掃シートの、上記清掃具への使用」を、単に『清掃具への使用』又は『使用』と称する場合がある）、及び本開示の、清掃具用の清掃シート（以下、「清掃具用の清掃シート」を、単に『清掃シート』と称する場合がある）について、以下、詳細に説明する。
【００４１】
なお、以下、清掃具に関する実施形態において、清掃具、清掃ヘッド、清掃具への使用及び清掃シートに関する実施形態を、まとめて説明する。また、清掃具に関する実施形態では、理解しやすさのため、清掃具を、被清掃面側の部材から使用者側の部材の順番、具体的には、清掃ヘッド、ブラケット、及び清掃具用柄の順番で説明する。
【００４２】
図１〜図１９は、本開示の実施形態の１つ（以下、「第１実施形態」と称する）に従う清掃具１を説明するための図である。具体的には、図１は、清掃具１の斜視図である。図２は、清掃ヘッド３の斜視図であり、図１に示される清掃具１の清掃ヘッド３の部分の拡大図に相当する。図３及び図４は、それぞれ、狭空間清掃形態における清掃具１の正面図及び背面図である。図５は、展開形態における清掃ヘッド３の第１内面１２９及び第２内面１３９側の展開図である。図６は、清掃ヘッド３の、図５のＶＩ−ＶＩ断面における断面図である。図７は、展開形態における清掃ヘッド３の第１外面１２７及び第２外面１３７側の展開図である。図８は、ブラケット５の斜視図である。
【００４３】
図９は、図８のＩＸ−ＩＸ断面における断面図である。図１０は、第１継手部３０３の斜視図である。図１１は、図１０のＸＩ−ＸＩ断面における断面図である。図１２は、第２継手部３０５の斜視図である。図１３は、図１２のＸＩＩＩ−ＸＩＩＩ断面における断面図である。図１４は、清掃具１の側面（ブラケット用孔１１７側の側面）の部分拡大図である。図１５〜図１７は、清掃シート３１を清掃ヘッド３に取り付ける方法を説明するための図である。図１８は、広空間清掃形態における清掃具１を説明するための図である。図１９は、狭空間清掃形態における清掃具１を説明するための図である。
【００４４】
第１実施形態に従う清掃具１は、清掃ヘッド３と、清掃ヘッド３に回転可能に取り付けられているブラケット５と、ブラケット５に連結されている清掃具用柄７とを備えている。
清掃ヘッド３は、平面方向Ｐと、厚さ方向Ｔとを備えている板状の形状を有し、平面方向Ｐと平行に延びている清掃面１１１（具体的には、第１清掃面１１３及び第２清掃面１１５）と、平面方向Ｐ（具体的には、長手方向Ｌ）と平行に延びているヘッド回転軸ＲＡ1を備えているブラケット用孔１１７とを備えている。第１清掃面１１３と、第２清掃面１１５とは、ヘッド回転軸ＲＡ1を間に挟んで、厚さ方向Ｔにおいて、お互いに対向している。なお、ヘッド回転軸ＲＡ1は、清掃ヘッド３を、ブラケット５に対して回転させるための回転軸である。
【００４５】
清掃ヘッド３は、長手方向Ｌと、長手方向Ｌと直交する短手方向Ｓとを有している。長手方向Ｌ及び短手方向Ｓは、平面方向Ｐ内に配置されている。ブラケット用孔１１７と、ヘッド回転軸ＲＡ1とは、長手方向Ｌと平行に延びている。ブラケット用孔１１７は、清掃ヘッド３の４つの側面（図示せず）のうちの１つの側面（図示せず）に開口部１１７ａを有している。
【００４６】
清掃ヘッド３は、ヘッド回転軸ＲＡ1を通り且つ厚さ方向Ｔに延びている仮想面ＩＳにより、第１ヘッド領域１１９と、第２ヘッド領域１２１とに区画され、清掃ヘッド３が、清掃ヘッド３の重心を、第１ヘッド領域１１９に有する。なお、清掃ヘッド３の重心は、後述の２つのおもり１５３により調整されている。
【００４７】
清掃ヘッド３は、清掃シート３１を保持できるように構成されている。具体的には、清掃ヘッド３は、清掃シート３１の一方の端部３３及び他方の端部３５の両方を挟持することにより、清掃シート３１を保持するように構成されている挟持部１２３を備えている。
【００４８】
挟持部１２３は、第１挟持部分１２５と、第２挟持部分１３５とを備えており、第１挟持部分１２５及び第２挟持部分１３５は、長手方向Ｌ（ヘッド回転軸ＲＡ1）と平行に延びている挟持部回転軸ＲＡ2を有する回転端１４５により回転可能に連結されているとともに、長手方向Ｌ（ヘッド回転軸ＲＡ1）と平行に延びている開閉端１４７により開閉可能に連結されている。
【００４９】
開閉端１４７は、清掃ヘッド３の短手方向Ｓの一方の端部１４９に配置されており、回転端１４５は、清掃ヘッド３の短手方向Ｓの他方の端部１５１に配置されている。
ブラケット用孔１１７は、第１挟持部分１２５（具体的には、後述の第１硬質部材１３３）に配置されている。
【００５０】
第１挟持部分１２５は、第１外面１２７及び第１内面１２９を備えており、第１挟持部分１２５は、第１外面１２７を構成する第１軟質部材１３１と、第１内面１２９を構成する第１硬質部材１３３とを備えている。第２挟持部分１３５は、第２外面１３７及び第２内面１３９を備えており、第２挟持部分１３５は、第２外面１３７を構成する第２軟質部材１４１と、第２内面１３９を構成する第２硬質部材１４３とを備えている。
【００５１】
第１挟持部分１２５は、第１ヘッド領域１１９において、第１硬質部材１３３の、第１外面１２７側の面（第１軟質部材１３１側の面）に配置された金属製のおもり１５３を２つ備えている。２つのおもり１５３は、ヘッド回転軸ＲＡ1と離間して、そしてヘッド回転軸ＲＡ1（長手方向Ｌ）と平行に延びている、２つのおもり１５３は、短手方向Ｓに隣接して配置されている。
【００５２】
また、２つのおもり１５３は、第１挟持部分１２５の、ヘッド回転軸ＲＡ1と、回転端１４５との間に配置されている。それにより、使用者が、清掃具１を使用する際に、おもり１５３の重さを覚えにくい一方で、そして清掃具１を持ち上げた際に、清掃ヘッド３が起立しやすくなる。
【００５３】
図６に示されるように、清掃ヘッド３は、厚さ方向Ｔの中心に配置された厚さ方向中心仮想面ＩＳTをさらに備え、２つのおもり１５３が、厚さ方向中心仮想面ＩＳTと交差するように配置されている。それにより、使用者が、清掃具１を使用する際に、おもり１５３の重さを覚えにくい一方で、そして清掃具１を持ち上げた際に、清掃ヘッド３が起立しやすくなる。
【００５４】
第１挟持部分１２５の第１内面１２９は、長手方向Ｌの内方の位置に配置された、２つの第１凹部１５７と、２つの第１凹部１５７に対して、長手方向Ｌの外方の位置に配置された、２つの第１凸部１５５とを備えている。２つの第１凹部１５７のそれぞれは、厚さ方向Ｔにおいて、第２挟持部分１３５に向かって窪んでおり、２つの第１凸部１５５のそれぞれは、厚さ方向Ｔにおいて、第２挟持部分１３５に向かって突出している。
【００５５】
第２挟持部分１３５の第２内面１３９は、長手方向Ｌの内方の位置に配置された、２つの第２凸部１５９と、２つの第２凸部１５９に対して、長手方向Ｌの外方の位置に配置された、２つの第２凹部１６１とを備えている。２つの第２凸部１５９のそれぞれは、厚さ方向Ｔにおいて、第１挟持部分１２５に向かって突出しており、２つの第２凹部１６１のそれぞれは、厚さ方向Ｔにおいて、第１挟持部分１２５に向かって窪んでいる。
【００５６】
２つの第１凸部１５５のそれぞれの頂面と、２つの第２凸部１５９のそれぞれの頂面とには、それぞれ、清掃シート３１を保持するための、第１スリット部１６３及び第２スリット部１６５が設けられている。
【００５７】
また、２つの第２凸部１５９のそれぞれと、２つの第１凹部１５７のそれぞれとは、挟持部１２３の閉鎖形態において、お互いに噛み合うように構成されている。また、２つの第２凹部１６１のそれぞれと、２つの第１凸部１５５のそれぞれとは、挟持部１２３の閉鎖形態において、お互いに噛み合うように構成されている。
【００５８】
さらに、第１挟持部分１２５の第１内面１２９の２つの第１凹部１５７の間と、第２挟持部分１３５の第２内面１３９の２つの第２凸部１５９の間とには、それぞれ、清掃シート３１の一方の端部３３と、他方の端部３５との位置を合わせるための目印１６７（目印１６７ａ及び目印１６７ｂ）が配置されている。
【００５９】
第１挟持部分１２５及び第２挟持部分１３５は、それぞれ、挟持部１２３の閉鎖形態を保持するように構成された、嵌合用突起１６９及び嵌合用窪み１７１を備えている。
具体的には、第１挟持部分１２５の長手方向Ｌの両端のそれぞれには、嵌合用突起１６９が配置されており、そして嵌合用突起１６９は、長手方向Ｌの外方に向かって突出しているとともに、長手方向Ｌに伸縮可能である。また、第２挟持部分１３５の長手方向Ｌの両端のそれぞれには、嵌合用突起１６９と嵌合するように構成された、嵌合用窪み１７１が配置されており、そして嵌合用窪み１７１は、長手方向Ｌの外方に向かって窪んでいる。第１挟持部分１２５の長手方向Ｌの両端のそれぞれにおいて、嵌合用突起１６９と、嵌合用窪み１７１とが嵌合することにより、挟持部１２３の閉鎖形態が保持される。
【００６０】
清掃ヘッド３の長手方向Ｌの両端に配置された両側面のそれぞれには、閉鎖形態における挟持部１２３を展開するための窪み部１７３が配置されている。窪み部１７３は、短手方向Ｓにおいて、回転端１４５よりも開閉端１４７に近い位置に配置され、窪み部１７３は、第１挟持部分１２５の第１硬質部材１３３及び第１軟質部材１３１と、第２挟持部分１３５の第２硬質部材１４３及び第２軟質部材１４１に渡って配置されているが、窪み部１７３の底部１７５（長手方向Ｌにおいて内方に位置する部分）は、第１挟持部分１２５の第１硬質部材１３３と、第２挟持部分１３５の第２硬質部材１４３とにより構成されている。それにより、使用者が、窪み部１７３に指を入れ、挟持部１２３（第１挟持部分１２５及び第２挟持部分１３５）を展開して展開形態を形成させやすく、ひいては、清掃シート３１を清掃ヘッド３に装着しやすくなる。
【００６１】
図６に示されるように、ブラケット用孔１１７は、ブラケット５のヘッド連結部２０１を保持するための２つのブラケット保持部１１８を備えている。２つのブラケット保持部１１８は、ブラケット５の周囲を覆うように配置されており、ブラケット保持部１１８の内面の径は、ブラケット５のヘッド連結部２０１の外面の径よりも大きく構成されている。
【００６２】
清掃具１（清掃ヘッド３）は、ブラケット保持部１１８の内部（より具体的には、ブラケット５のヘッド連結部２０１の外面と、ブラケット保持部１１８の内面との間）に、回転抑制部材、具体的には、グリースを備えている（図６にＸで示されている）。グリースは、ブラケット用孔１１７の内面（図示せず）と、ブラケット５（具体的には、後述のヘッド連結部２０１）の外面との間の摩擦を増やし、清掃ヘッド３が、ブラケット５に対して回転しすぎることを抑制する。
【００６３】
図８に示されるように、ブラケット５は、棒状の部材から構成されているとともに、ブラケット用孔１１７に回転可能に連結されているヘッド連結部２０１と、清掃具用柄７に連結されている柄連結部２０３と、ヘッド連結部２０１及び柄連結部２０３を離間させている離間部２０５とを備えている。柄連結部２０３は、柄連結部２０３を、コネクティングロッド３０１の第１柄部分３０７と連結させる固定具である第１固定具３２１を挿入するための第１固定具用第１孔２０７を備えている。第１固定具用第１孔２０７は、柄連結部２０３を貫通している。
【００６４】
ヘッド連結部２０１、柄連結部２０３、及び離間部２０５は、単一の平面であるのブラケット仮想面ＩＳB上に配置されている。
なお、ブラケット仮想面ＩＳBに直交する方向を第２厚さ方向Ｔ2と称する。清掃ヘッド３及びブラケット５を、平面方向Ｐ及びブラケット仮想面ＩＳBが一致するように保持した場合には、清掃ヘッドの厚さ方向Ｔと、ブラケット５の第２厚さ方向Ｔ2とが一致することになる。
ブラケット５は、柄連結部２０３の、第２厚さ方向Ｔ2における厚さｃを有する。
【００６５】
清掃具用柄７は、コネクティングロッド３０１と、第１柄部分３０７と、第２柄部分３０９と、第３柄部分３１１と、把持部３１５を有する第４柄部分３１３とが、その順で連結されており、コネクティングロッド３０１と、第１柄部分３０７と、第２柄部分３０９と、第３柄部分３１１と、第４柄部分３１３とは、連結形態と、分離形態とを切替可能であるように構成されている。
【００６６】
コネクティングロッド３０１は、清掃具用柄７を、ブラケット仮想面ＩＳB上を回転可能とするための回転部である。具体的には、コネクティングロッド３０１は、清掃具用柄７を、ブラケット仮想面ＩＳB上を回転可能とする柄回転軸ＲＡ3を有する、一対の第１継手部３０３及び第２継手部３０５から構成されている。第１継手部３０３は、柄連結部２０３に連結されており、そして第２継手部３０５は、第１柄部分３０７に連結されている。
【００６７】
図１０及び図１１に示されるように、第１継手部３０３は、ブラケット５の柄連結部２０３の外周を一周するように構成された囲繞部３２３と、囲繞部３２３から、柄連結部２０３から遠ざかる方向、具体的には、第１柄部分３０７に向かって突出する第１接合部材３２５を備えている。囲繞部３２３は、柄連結部２０３を差し込むための貫通孔３２７と、貫通孔３２７と直交する方向に延びており、第１固定具３２１を挿入するための第１固定具用第２孔３２９を備えている。第１接合部材３２５は、第１継手部３０３及び第２継手部３０５を連結させる固定具である第２固定具３５１を挿入するための第１開口部３３１を備えている。
【００６８】
第１継手部３０３（並びに第２継手部３０５及び清掃具用柄７）は、ブラケット５と連結された状態において、ブラケット仮想面ＩＳB上に存在するため、ブラケット５と同一の第２厚さ方向Ｔ2を用いる。
囲繞部３２３と、第１接合部材３２５とは、第２厚さ方向Ｔ2において、それぞれ、厚さａ及び厚さｂを有する。
【００６９】
図１２及び図１３に示されるように、第２継手部３０５は、所定の距離、具体的には厚さｂだけ離間している一対の第２接合部材３５３を備えている。一対の第２接合部材３５３のそれぞれは、第１継手部３０３及び第２継手部３０５を連結させる固定具である第２固定具３５１を挿入するための第２開口部３５５を備えている。
【００７０】
第１継手部３０３及び第２継手部３０５は、一対の第２接合部材３５３の間に第１接合部材３２５を挟み込むとともに、第１開口部３３１及び２つの第２開口部３５５に第２固定具３５１を貫通させることにより連結されている。第１継手部３０３及び第２継手部３０５は、コネクティングロッド３０１（清掃具用柄７）が、ブラケット仮想面ＩＳB上を回転可能となるように（すなわち、柄回転軸ＲＡ3がブラケット仮想面ＩＳBと直交するように）連結されている。
【００７１】
図１４は、清掃具１の側面（ブラケット用孔１１７側の側面）の部分拡大図である。図１４に示される清掃具１は、清掃ヘッド３と、ブラケット５と、清掃具用柄７とを、清掃ヘッド３の平面方向Ｐと、ブラケット５のブラケット仮想面ＩＳBと、柄軸ＲＡ4とが、平行（具体的には、同一平面上に存在する）ように保持されている。
【００７２】
第１実施形態に従う清掃具１では、厚さ方向Ｔ（第２厚さ方向Ｔ2）における、第１継手部３０３の厚さ（すなわち、囲繞部３２３の厚さａ）が、清掃ヘッド３の厚さｅよりも薄く、そして第２継手部３０５の厚さｄが、上記清掃ヘッド３の厚さｅと同一である。それにより、回転部を構成する第１継手部３０３及び第２継手部３０５が、清掃ヘッド３が狭空間に入ることを阻害しにくく、そして回転部を構成する第１継手部３０３及び第２継手部３０５が、狭空間を構成する被清掃面を傷つけにくい。
【００７３】
また、清掃具１では、厚さ方向Ｔ（第２厚さ方向Ｔ2）における、第１継手部３０３の厚さ（すなわち、囲繞部３２３の厚さａ）が、清掃具用柄７の厚さ、具体的には、スリーブ３６１の太さｆよりも薄く、厚さ方向Ｔ（第２厚さ方向Ｔ2）における、第２継手部３０５の厚さｄが、清掃具用柄７の厚さ、具体的には、スリーブ３６１の太さｆよりも薄い。従って、回転部を構成する第１継手部３０３及び第２継手部３０５が、清掃ヘッド３及び清掃具用柄７が狭空間に入ることを阻害しにくく、そして回転部を構成する第１継手部３０３及び第２継手部３０５が、狭空間を構成する被清掃面を傷つけにくい。
【００７４】
また、清掃具１では、囲繞部３２３の厚さａと、第１接合部材３２５の厚さｂとが、ｂ／ａ＝０．５０の値を有する。従って、第１継手部３０３の厚さを薄くできるとともに、第１継手部３０３の強度を保持することができる。
また、清掃具１では、厚さ方向Ｔ（第２厚さ方向Ｔ2）における、囲繞部３２３の厚さａと、ブラケット５の厚さｃとが、ｃ／ａ＝０．３６の値を有する。従って、第１継手部３０３の厚さを薄くできるとともに、第１継手部３０３及びブラケット５の接合の強度を保持することができる。
【００７５】
さらに、清掃具１では、厚さ方向Ｔ（第２厚さ方向Ｔ2）における、第１接合部材３２５の厚さｂと、第２継手部３０５の厚さｄとが、ｂ／ｄ＝０．４７である。従って、第１継手部３０３及び第２継手部３０５が、薄さに優れるとともに、第１継手部３０３及び第２継手部３０５の連結部分の強度を確保することができる。
【００７６】
使用者は、清掃具１を使用するに当たり、閉鎖形態にある清掃ヘッド３の長手方向Ｌの両側面に配置された窪み部１７３に手を入れ、清掃ヘッド３を、展開形態に展開し、図１５に示されるように、展開形態における清掃ヘッド３を、清掃シート３１の上に、挟持部１２３（第１挟持部分１２５及び第２挟持部分１３５）の第１内面１２９及び第２内面１３９が上方を向くように配置する。
【００７７】
次いで、清掃シート３１の一方の端部３３及び他方の端部３５が、それぞれ、第１挟持部分１２５の目印１６７ａ（１６７）及び目印１６７ｂ（１６７）に合うように、清掃シート３１の一方の端部３３及び他方の端部３５を、それぞれ、第１内面１２９及び第２内面１３９に向かって折り畳む。
【００７８】
次いで、使用者は、図１６に示されるように、第１挟持部分１２５の２つの第１凸部１５５のそれぞれに配置された第１スリット部１６３に、清掃シート３１の一方の端部３３を固定し、そして第２挟持部分１３５の２つの第２凸部１５９のそれぞれに配置された第２スリット部１６５に、清掃シート３１の他方の端部３５を固定する。
【００７９】
次いで、第１挟持部分１２５及び第２挟持部分１３５を、回転端１４５の挟持部回転軸ＲＡ2を中心に回転させ、嵌合用突起１６９及び嵌合用窪み１７１を嵌合させ、図１７に示されるように、清掃ヘッド３を閉鎖形態にする。それにより、清掃シート３１の一方の端部３３は、２つの第１凸部１５５の第１スリット部１６３により保持されるとともに、噛み合わされた、第１凸部１５５及び第２凹部１６１の組み合わせ（計２カ所）と、第１凹部１５７及び第２凸部１５９の組み合わせ（計２カ所）により保持されるため、使用時に、清掃シート３１の一方の端部３３が、挟持部１２３から外れにくくなる。
【００８０】
同様に、清掃シート３１の他方の端部３５は、２つの第２凸部１５９の第２スリット部１６５により保持されるとともに、噛み合わされた、第１凸部１５５及び第２凹部１６１の組み合わせ（計２カ所）と、第１凹部１５７及び第２凸部１５９の組み合わせ（計２カ所）により保持されるため、使用時に、清掃シート３１の他方の端部３５が、挟持部１２３から外れにくくなる。
【００８１】
使用者が、広空間を清掃する場合には、図１８に示されるように、清掃具１を、広空間清掃形態にし、特に制限なく、被清掃面を清掃することができる。清掃シート３１の第１面３７（清掃ヘッド３の第１清掃面１１３側の面）を被清掃面の清掃に用い、第１面３７が汚れた場合には、清掃ヘッド３を１８０°回転させ、清掃シートの第２面３９（清掃ヘッド３の第２清掃面１１５側の面）を用いて、被清掃面を清掃することができる。
【００８２】
使用者が、狭空間、例えば、図１９に示されるような垂直方向狭空間５１を清掃する場合には、清掃具１を、狭空間清掃形態、具体的には、清掃ヘッド３を、清掃ヘッド３の平面方向（図示せず）と、ブラケット５のブラケット仮想面（図示せず）とが一致するように回転させ、清掃ヘッド３の長手方向Ｌの端部（好ましくは、ブラケット用孔１１７の開口部１１７ａの存在しない側の端部）を、狭空間に入れ、狭空間の被清掃面を清掃することができる。
【００８３】
清掃具１を、広空間清掃形態から狭空間清掃形態に形態変更するためには、清掃具１を、単に持ち上げればよい。清掃具１（清掃ヘッド３）を持ち上げると、清掃ヘッド３の重心が、第１ヘッド領域１１９に存在することから、清掃ヘッド３が、第１ヘッド領域１１９を下方に向けて起立しやすくなる。
【００８４】
また、清掃具１（清掃ヘッド３）が、ブラケット用孔１１７の内面と、ブラケット５のヘッド連結部２０１の外面との間に、回転抑制部材としてのグリースを有するため、清掃具１を持ち上げた際に、清掃ヘッド３が、振り子のように振れ続けにくくなり、起立した状態で止まりやすい。
【００８５】
また、第１実施形態に従う清掃具１の清掃ヘッド３では、回転端１４５が、第１ヘッド領域１１９の、清掃ヘッド３の短手方向Ｓの他方の端部１５１に配置されているので、清掃ヘッド３を持ち上げた際に、清掃ヘッド３が、回転端１４５が下方を向き且つ開閉端１４７が上方を向くように起立する。従って、清掃ヘッド３の第１ヘッド領域１１９側（回転端１４５側）の側面を用いて、垂直方向狭空間５１の隅部５３を清掃しやすく、そしてその際に、清掃シート３１が清掃ヘッド３から外れにくくなる。
【００８６】
本開示の清掃具（本開示の清掃ヘッド、本開示の使用）では、上記清掃ヘッドは、平面方向及び厚さ方向を備えている板状の形状を有するとともに、平面方向に沿う方向に延びている清掃面と、平面方向に沿う方向に延びているヘッド回転軸を備えているブラケット用孔とを備えている。なお、ヘッド回転軸は、清掃ヘッドを、ブラケットに対して回転させるための回転軸である。
【００８７】
上記板状の形状は、上記平面方向に沿う方向に延びている２つの表面部であって、お互いに向かい合うものと、上記厚さ方向に沿う方向に延びている側面部とを有するものであれば、形状は、特に制限されない。上記表面部は、清掃ヘッドの厚さ方向から観察した形状が、多角形、例えば、三角形（例えば、二等辺三角形）、四角形（例えば、矩形、菱形）、五角形、六角形等、湾曲形、例えば、円形、楕円形等であることができる。上記板状の形状は、上記平面方向において、長手方向及び短手方向を有することができる。
【００８８】
また、上記表面部及び側面部は、平面だけでなく、湾曲面（例えば、両端以外の中央領域が外方に向かって突出する湾曲面、両端以外の中央領域が内方に向かって窪む湾曲面）であってもよく、そして凹凸構造、例えば、一又は複数の凸部、一又は複数の凹部等を含むことができる。それにより、清掃ヘッドが、清掃シートを保持できるように構成されている場合には、清掃ヘッドに取り付けられた清掃シートがずれにくくなり、清掃具を使用する際に、清掃シートが清掃ヘッドから外れにくくなる。
【００８９】
本開示の清掃具（本開示の清掃ヘッド、本開示の使用）では、清掃ヘッドは、２つの表面部のうち、１つの表面部（片面、すなわち、第１清掃面のみ）のみが清掃面を構成していてもよく、そして２つの表面部（両面、すなわち、第１清掃面及び第２清掃面）が清掃面を構成していてもよい。
【００９０】
本開示の清掃具（本開示の清掃ヘッド、本開示の使用）では、清掃ヘッドの厚さ（厚さ方向の長さ）は、特に制限されるものではないが、狭空間を清掃する観点からは、上記厚さは、薄いことが好ましく、上記厚さは、好ましくは３．０ｃｍ以下、より好ましくは２．０ｃｍ以下である。上記厚さは、清掃具の強度の観点から、好ましくは０．１ｃｍ以上、そしてより好ましくは１．０ｃｍ以上である。なお、清掃ヘッドの厚さは、清掃ヘッドの最も厚い部分を意味する。
【００９１】
本開示の清掃具（本開示の清掃ヘッド、本開示の使用）では、清掃ヘッドは、特に制限されず、清掃シートを取り付けずに清掃を行うもの、清掃シートを取り付けて清掃を行うもの等が挙げられる。
清掃シートを取り付けずに清掃を行う清掃ヘッドとしては、ブラシ部を有するもの、スポンジ部を有するもの等が挙げられる。
【００９２】
清掃シートを取り付けて清掃を行う清掃ヘッド用の清掃シートとしては、当技術分野で公知のもの、例えば、不織布を含むもの、トウを含むもの等が挙げられる。また、上記清掃シートとしては、ドライタイプ、薬液を含浸させたウェットタイプ等が挙げられる。
上記清掃シートは、一方の端部及び他方の端部を備える清掃シートであって、当該一方の端部及び他方の端部を、清掃ヘッドに固定して用いられるように構成されているものであることができ、そして筒状の清掃シートであって、清掃ヘッドを覆うように構成されているものが挙げられる。筒状の清掃シートは、後述の片手持ちの清掃ヘッドに用いられることが好ましい。
【００９３】
本開示の清掃具（本開示の清掃ヘッド、本開示の使用）では、ブラケット用孔の開口部は、清掃ヘッドの任意の位置に配置されることができ、そして側面部に配置されることが好ましい。ブラケット用孔の開口部は、清掃ヘッドが長手方向及び短手方向を有する場合には、長手方向における端部（両端部）を構成する側面部（両側面部）、短手方向における端部（両端部）を構成する側面部（両側面部）に配置されることができ、長手方向における端部（両端部）を構成する側面部（両側面部）に配置されることが好ましい。清掃具の使いやすさの観点からである。
【００９４】
本開示の清掃具（本開示の清掃ヘッド、本開示の使用）では、ブラケット用孔（及びヘッド回転軸）は、所定の方向における上記側面部の中央に配置されることが好ましく、清掃ヘッドが長手方向及び短手方向を有する場合には、上記所定の方向は、長手方向又は短手方向であることができ、上記ブラケット用孔（及びヘッド回転軸）は、長手方向の中央又は短手方向の中央に配置されることが好ましい。清掃ヘッドの回転のしやすさ、並びに清掃具の使いやすさの観点からである。
【００９５】
本開示の清掃具（本開示の清掃ヘッド、本開示の使用）において、清掃ヘッドが、清掃シートを取り付けて清掃を行うものである場合には、清掃ヘッドが、清掃シートの一方の端部及び他方の端部の少なくとも一方を挟持する挟持部であって、展開形態及び閉鎖形態をとることができるように構成されたものを備えることができる。それにより、清掃シートの、挟持部に挟持されている端部が挟持部から外れにくく、清掃シートが清掃ヘッドから外れにくくなる。なお、上記挟持部は、清掃シートの一方の端部及び他方の端部の一方を挟持することができ、そして清掃シートの一方の端部及び他方の端部の両方を挟持することができる。
【００９６】
上記挟持部としては、清掃シートを挟持できるものであれば、特に制限されないが、上記挟持部は、第１挟持部分と、第２挟持部分とを備えており、第１挟持部分及び第２挟持部分が、所定の方向（好ましくは、ヘッド回転軸、長手方向等に沿う方向）に沿う方向に延びている挟持部回転軸を有する回転端により回転可能に連結されているとともに、所定の方向（好ましくは、ヘッド回転軸、長手方向等に沿う方向）に沿う方向に延びている開閉端により開閉可能に連結されていることが好ましい。それにより、清掃シートの、挟持部に挟持されている端部が挟持部から外れにくく、清掃シートが清掃ヘッドから外れにくくなる。
【００９７】
上記回転端及び開閉端は、清掃ヘッドの任意の位置に配置されることができ、例えば、回転端（挟持部回転軸）及び／又は開閉端が、ヘッド回転軸に沿う方向に延びている場合には、回転端（挟持部回転軸）及び／又は開閉端は、ヘッド回転軸と直交する直交方向の端部、ヘッド回転軸と隣接する領域等に配置されうる。また、回転端（挟持部回転軸）及び／又は開閉端が、清掃ヘッドの長手方向に沿う方向に延びている場合には、回転端（挟持部回転軸）及び／又は開閉端は、短手方向の端部、ヘッド回転軸と隣接する領域等に配置されうる。
【００９８】
本開示の清掃具（本開示の清掃ヘッド、本開示の使用）では、清掃ヘッドが、ブラケット用孔のヘッド回転軸を通り且つ清掃ヘッドの厚さ方向に延びている仮想面により、第１ヘッド領域と、第２ヘッド領域とに区画された場合に、清掃ヘッドが、清掃ヘッドの重心を、第１ヘッド領域に有することができる。また、上記清掃具は、清掃ヘッドの重心を、清掃ヘッドのヘッド回転軸を水平方向に保持した状態且つ清掃ヘッドを固定していない状態において、清掃ヘッドの第１領域が下方に移動し、清掃ヘッドの第２領域が上方に移動するように備えていることができる。垂直方向清掃性、並びに垂直方向狭空間清掃性の観点からである。
【００９９】
清掃ヘッドの重心は、第１ヘッド領域及び第２ヘッド領域において、清掃ヘッドを構成する部材、例えば、軟質部材、硬質部材等の質量を変えることにより調整することができる。
また、清掃ヘッドの重心は、第１ヘッド領域に追加の部材、例えば、おもり等を配置することにより調整することができる。上記おもりの素材としては、例えば、金属（例えば、鉄、ステンレス、鉛、銅、磁石）、ゴム、プラスチック等が挙げられる。
【０１００】
上記おもりは、第１ヘッド領域の任意の位置に配置されうるが、ヘッド回転軸から遠い位置に少なくとも配置されていることが好ましい。清掃ヘッドの質量の増加を抑制しつつ、清掃ヘッドの重心を効率よくヘッド回転軸から離間させることできる（清掃ヘッドを起立させやすくする）ので、清掃ヘッドが、垂直方向清掃性、垂直方向狭空間清掃性、清掃面切替性等に優れる。
上記おもりは、ヘッド回転軸に沿う方向に延びているように配置されていてもよく、そしてヘッド回転軸と直交する方向に沿うように延びているように配置されていてもよい。
【０１０１】
本開示の清掃具（本開示の清掃ヘッド、本開示の使用）において、清掃ヘッドが、奇数個又は偶数個のおもりを備えている場合には、奇数個又は偶数個のおもりが、清掃ヘッドの厚さ方向の中心に配置された厚さ方向中心仮想面と交差するように配置されることができる。それにより、使用者が、清掃ヘッドを含む清掃具を持ち上げた際に、清掃ヘッドが垂直方向に沿う方向に起立しやすくなる。
【０１０２】
また、本開示の清掃具（本開示の清掃ヘッド、本開示の使用）において、清掃ヘッドが偶数個のおもりを備えている場合には、偶数個のおもりが、上述の厚さ方向中心仮想面に対して対象に配置されることができる。それにより、使用者が、清掃ヘッドを含む清掃具を持ち上げた際に、清掃ヘッドが垂直方向に沿う方向に起立しやすくなる。
【０１０３】
また、本開示の清掃具（本開示の清掃ヘッド、本開示の使用）において、清掃ヘッドがおもりを備えている場合に、おもりが、清掃ヘッドの厚さ方向の中心に配置された厚さ方向中心仮想面に対して非対称になるように配置されることができる。例えば、清掃ヘッドが１つのおもりを備えている場合に、おもりが、厚さ方向中心仮想面と交差しないように配置することができる。それにより、使用者が、清掃ヘッドを含む清掃具を持ち上げた際に、清掃ヘッドが垂直方向から傾いた方向に傾斜しやすくなるため、清掃具を、水平方向清掃形態及び垂直方向清掃形態に切替えやすくなる。
【０１０４】
本開示の清掃具（本開示の清掃ヘッド、本開示の使用）において、清掃ヘッドが、清掃シートを保持できるように構成されている場合には、清掃ヘッドは、清掃シートを保持するための清掃シート固定部を備えていることが好ましい。上記清掃シート固定部としては、挟込（例えば、挟持部）、スリット部（例えば、第１実施形態に示される、第１スリット部１６３及び第２スリット部１６５）、面ファスナーのフック部材等が挙げられる。
【０１０５】
本開示の清掃具（本開示の清掃ヘッド、本開示の使用）において、清掃ヘッドが、清掃シートを保持するための清掃シート固定部を備えている場合には、清掃ヘッドは、その外面に、一又は複数の清掃シート固定部を備えていてもよく、そしてその内面に、一又は複数の清掃シート固定部を備えていてもよい。
【０１０６】
清掃ヘッドが、その内面に、一又は複数の清掃シート固定部を備えている例としては、例えば、清掃ヘッドが、挟持部、例えば、第１挟持部分及び第２挟持部分を有する挟持部を備えているものが挙げられる。第１挟持部分及び第２挟持部分は、所定の方向（好ましくは、ヘッド回転軸、長手方向等に沿う方向）に延びている挟持部回転軸を有する回転端により回転可能に連結されているとともに、所定の方向（好ましくは、ヘッド回転軸、長手方向等に沿う方向）に延びている開閉端により開閉可能に連結されているものが挙げられ、そして第１挟持部分の第１内面又は第２挟持部分の第２内面が、清掃シート固定部を備えているものが挙げられる。
【０１０７】
また、清掃ヘッドは、その外面に、一又は複数の清掃シート固定部を備えることができ、清掃ヘッドが、挟持部、例えば、第１挟持部分及び第２挟持部分を有する挟持部を備えている場合には、第１挟持部分の第１外面及び／又は第２挟持部分の第２外面が、清掃シート固定部を備えていることができる。
【０１０８】
本開示の清掃具（本開示の清掃ヘッド、本開示の使用）において、清掃ヘッドが、第１挟持部分及び第２挟持部分を有する挟持部を備えているとともに、第１ヘッド領域におもりが配置されている場合には、おもり及びブラケット用孔は、第１挟持部分に配置されていることが好ましい。それにより、使用者が、清掃具を使用する際に、おもりの重さを覚えにくい一方で、そして清掃具を持ち上げた際に、清掃ヘッドが起立しやすくなるので、清掃具（清掃ヘッド）が、垂直方向清掃性、垂直方向狭空間清掃性、清掃面切り替え性等に優れる。
【０１０９】
本開示の清掃具（本開示の清掃ヘッド、本開示の使用）において、清掃ヘッドが挟持部を備えている場合、例えば、第１挟持部分及び第２挟持部分を有する挟持部を備えている場合には、第１挟持部分と、第２挟持部分との閉鎖形態を保持するための保持手段としては、当技術分野で公知のものを採用することができ、例えば、一対の嵌合用突起及び嵌合用窪み、面ファスナー（フック型部材及びループ型部材）、一対の磁石、一対の磁石及び強磁性体（例えば、鉄、コバルト、ニッケル）、クリップ用ばね、メカニカルロック等が挙げられる。
【０１１０】
上記一対の嵌合用突起及び嵌合用窪みは、それぞれ、所定の方向に向かって突出及び窪んでおり、当該所定の方向は、清掃ヘッドの平面方向を構成する方向（例えば、長手方向又は短手方向）であることが好ましく、清掃ヘッドの長手方向を構成する方向（例えば、長手方向の内方又は外方）であることがより好ましく、清掃ヘッドの長手方向の内方であることがさらに好ましい。それにより、挟持部の閉鎖形態を保持しやすくなる。
【０１１１】
本開示の清掃具（本開示の清掃ヘッド、本開示の使用）では、清掃ヘッドは、種々の素材から構成されることができるが、その外面が軟質部材から構成され、そして内部が、上記軟質部材よりも硬質の硬質部材から構成されることが好ましい。操作性と、清掃性との両立との観点からである。
【０１１２】
上記軟質部材を構成する素材としては、例えば、エチレン酢酸ビニルコポリマー（ＥＶＡ）、ポリウレタン（ＰＵ）、エラストマー、ゴム、スポンジ、各種発泡体、布帛（例えば、不織布、例えば、フェルト、織物、編物）等が挙げられ、そして上記硬質部材を構成する素材としては、例えば、ＡＢＳ樹脂、ポリオレフィン（例えば、ポリエチレン（ＰＥ）、ポリプロピレン（ＰＰ）等）、ポリエチレンテレフタラート（ＰＥＴ）、ポリアセタール（ＰＯＭ）、ポリカーボネート（ＰＣ）、ポリスチレン（ＰＳ）、ポリアミド（ＰＡ）、ポリ塩化ビニル（ＰＶＣ）、アクリル樹脂、及びそれらの複合材料、並びに金属（例えば、アルミニウム）等が挙げられる。
【０１１３】
本開示の清掃具（本開示の使用）では、清掃具は、清掃ヘッドと、ブラケットと、清掃具用柄とを備えていることができる。
上記ブラケットは、棒状の部材から構成されており、ブラケット用孔に回転可能に連結されるヘッド連結部と、清掃具用柄に連結されている柄連結部と、ヘッド連結部及び柄連結部を離間させている離間部とを備えているとともに、上記ブラケットは、単一の平面であるブラケット仮想面上に配置されている。
【０１１４】
上記棒状の部材としては、断面が円形、楕円形、多角形のものが挙げられ、そして上記ブラケットは、少なくともヘッド連結部の断面が円形であることが好ましく、ブラケット全体の断面が円形であることが好ましい。清掃ヘッドをヘッド回転軸を中心に回転させる観点、ブラケットが被清掃面を傷つけにくい観点からである。上記ブラケットの素材としては、例えば、金属、例えば、鉄（例えば、鉄の亜鉛メッキ物）、ステンレス、アルミニウム等が挙げられる。
【０１１５】
上記柄連結部及び離間部と、ヘッド連結部及び離間部とは、交差するように連結していてもよく、そして湾曲するように一体化していてもよい。
上記ヘッド連結部と、柄連結部とは、任意の長さを有することができる。例えば、ヘッド連結部が、柄連結部と略同一の長さであることができ、それにより、ブラケット、ひいては清掃具を軽量化するとともに、清掃具用柄に加えた力を、清掃ヘッドに的確に伝えやすくなる。また、ヘッド連結部が、柄連結部よりも長くともよく、それにより、清掃具用柄に加えた力を、清掃ヘッドにより伝えやすくなる。さらに、上記ヘッド連結部は、清掃ヘッドと略同一の長さ、又は清掃ヘッドよりも長い長さを有することができ、それにより、清掃具用柄に加えた力を、清掃ヘッドの全体に伝えやすくなる。
【０１１６】
本開示の清掃具（本開示の使用）では、清掃具用柄が、清掃具用柄を、ブラケットに対して回転可能とする回転部であって、ブラケットの柄連結部に連結されているものを備えている。上記回転部は、少なくともブラケット仮想面上を回転可能であり、そしてブラケット仮想面上のみを回転可能であってもよく、ブラケット仮想面上及びブラケット仮想面の厚さ方向（第２厚さ方向）上を回転可能であってもよい。清掃具を、狭空間清掃形態に変形させやすくする観点からである。
【０１１７】
本開示の清掃具（本開示の使用）では、狭空間清掃形態［すなわち、清掃ヘッド、ブラケット及び清掃具用柄を、平面方向、ブラケット仮想面及び柄軸が平行になる（好ましくは、同一平面上に存在する）ように保持した状態］において、清掃ヘッドの厚さ方向（ブラケット仮想面の第２厚さ方向）における、回転部の厚さが、清掃ヘッドの厚さと同一であるか、又は薄い。それにより、清掃具を狭空間清掃形態で保持し、狭空間を清掃する際に、回転部が、清掃ヘッドが狭空間に入ることを阻害しにくく、そして回転部が、狭空間を構成する被清掃面を傷つけにくくなる。
なお、回転部の厚さは、回転部の最厚部の厚さを意味し、清掃ヘッドの厚さは、清掃部の最厚部の厚さを意味する。
【０１１８】
また、本開示の清掃具（本開示の使用）では、狭空間清掃形態において、清掃ヘッドの厚さ方向（ブラケット仮想面の第２厚さ方向）における、回転部の厚さが、清掃具用柄の厚さと同一であるか、又は薄い。それにより、清掃具を狭空間清掃形態で保持し、狭空間を清掃する際に、回転部が、清掃ヘッド及び清掃具用柄が狭空間に入ることを阻害しにくく、そして回転部が、狭空間を構成する被清掃面を傷つけにくくなる。
なお、清掃具用柄の厚さは、清掃具用柄の最厚部を意味するが、使用者が清掃具用柄を把持する把持部を除く。把持部は、把持性を考慮し、太く構成されることがある一方で、把持部は、狭空間に侵入させないのが一般的だからである。
【０１１９】
上記回転部は、ブラケット仮想面と直交する回転軸を備えている、一対の第１継手部及び第２継手部であって、第１継手部がブラケットの柄連結部に連結されているものを備えており、清掃具用柄が、ブラケット仮想面上を回転可能であるように構成されていることが好ましい。それにより、上記清掃具は、回転部の構造を単純化させることができるとともに、清掃具を、狭空間清掃形態に変形させやすくなる。
【０１２０】
第１継手部は、ブラケットの柄連結部の外周を一周する囲繞部と、囲繞部から、柄連結部から遠ざかる方向に突出する第１接合部材であって第１開口部を備えるものとを備えていることができる。
また、第２継手部は、所定の距離離間している一対の第２接合部材であって、そのそれぞれが第２開口部を備えるものを備えていることができる。
第１継手部及び第２継手部は、一対の第２接合部材の間に第１接合部材を挟み込むとともに、第１開口部及び第２開口部に固定具を貫通させることにより、回転可能に固定されていることができる。
【０１２１】
本開示の清掃具（本開示の使用）では、回転部が、所定の第１継手部と、所定の第２継手部とを備える場合に、狭空間清掃形態における清掃具において、清掃ヘッドの厚さ方向（ブラケット仮想面の第２厚さ方向）における、囲繞部の厚さａと、第１接合部材の厚さｂとが、好ましくは０．４０≦ｂ／ａ≦１．００、より好ましくは０．４５≦ｂ／ａ≦０．９０、そしてさらに好ましくは０．５０≦ｂ／ａ≦０．８０の関係を有する。そうすることにより、狭空間清掃形態における清掃具において、第１継手部の厚さを薄くできるとともに、第１継手部の強度を保持することができ、ひいては、清掃具が、狭空間清掃性に優れる。
なお、囲繞部の厚さａは、囲繞部の最厚部の厚さを意味し、第１接合部材の厚さｂは、第１接合部材の最厚部の厚さを意味する。
【０１２２】
本開示の清掃具（本開示の使用）では、回転部が、所定の第１継手部と、所定の第２継手部とを備える場合に、狭空間清掃形態における清掃具において、清掃ヘッドの厚さ方向（ブラケット仮想面の第２厚さ方向）における、囲繞部の厚さａと、上記ブラケットの厚さｃとが、好ましくは０．２０≦ｃ／ａ≦０．７０、より好ましくは０．３０≦ｃ／ａ≦０．６０、そしてさらに好ましくは０．３５≦ｃ／ａ≦０．５０の関係を有する。それにより、狭空間清掃形態における清掃具において、第１継手部の厚さを薄くできるとともに、第１継手部及びブラケットの接合の強度を保持することができ、ひいては、清掃具が、狭空間清掃性に優れる。また、ブラケット及び第１継手部を、種々の素材から選択することができる（素材の選択の幅が広がる）。
【０１２３】
なお、ブラケットの厚さｃは、ブラケットの最厚部の厚さを意味する。また、ブラケットの厚さｃの対象は、柄連結部であることが好ましく、そしてブラケットの柄連結部、ヘッド連結部及び離間部であることがより好ましい。
【０１２４】
本開示の清掃具（本開示の使用）では、回転部が、所定の第１継手部と、所定の第２継手部とを備える場合に、狭空間清掃形態における清掃具において、清掃ヘッドの厚さ方向（ブラケット仮想面の第２厚さ方向）における、第１接合部材の厚さｂと、第２継手部の厚さｄとが、好ましくは０．３０≦ｂ／ｄ≦０．８０、より好ましくは０．４０≦ｂ／ｄ≦０．７０、そしてさらに好ましくは０．４５≦ｂ／ｄ≦０．６０の関係を有する。それにより、狭空間清掃形態における清掃具において、第１継手部及び第２継手部が、所定の状態における薄さに優れるとともに、第１継手部及び第２継手部の連結部分の強度を確保することができる。
なお、第２継手部の厚さｄは、第２継手部の最厚部を意味する。
【０１２５】
本開示の清掃具（本開示の使用）では、清掃具が、清掃ヘッドがヘッド回転軸を中心に自由回転することを抑制するための回転抑制部材をさらに備えていてもよい。それにより、清掃具を持ち上げた際に、清掃ヘッドが、ヘッド回転軸を軸として、振り子のように振れ続けることを抑制することができる。
【０１２６】
上記回転抑制部材としては、ブラケット用孔の内面と、ブラケット（例えば、ヘッド連結部）の外面との間に配置された摩擦増強剤、例えば、グリースが挙げられる。摩擦増強剤を用いることにより、回転抑制作用が経時で低下しにくい。
【０１２７】
また、上記回転抑制部材としては、ブラケット（例えば、ヘッド連結部）の外周の一部又は全部に配置される突出部材（例えば、外周の全部に配置されるＯ状リング）であって、ブラケット用孔の内面と摩擦を生じさせるように構成されるもの、ブラケット用孔の内面に配置された突出部材であって、ブラケット（例えば、ヘッド連結部）の外面と摩擦を生じさせるように構成されるもの等が挙げられる。
【０１２８】
本開示の清掃具（本開示の使用）は、清掃ヘッド及びブラケットを、清掃ヘッドの平面方向と、ブラケット仮想面とを一致させて固定できるように構成されている（以下、清掃具が「清掃ヘッド固定機構」を備えると称する場合がある）ことができる。それにより、清掃具が、狭空間清掃性に優れる。
【０１２９】
上記清掃ヘッド固定機構としては、一対の磁石、一対の磁石及び強磁性体（例えば、鉄、コバルト、ニッケル）、一対の嵌合部等が挙げられる。上記清掃ヘッド固定機構が一対の磁石である例としては、ブラケット（例えば、ヘッド連結部、柄連結部及び／又は離間部）に配置された磁石と、清掃ヘッドの、ブラケットに配置された磁石と対応する位置に配置された磁石とを含む実施形態（例えば、第２実施形態）が挙げられる。上記清掃ヘッド固定機構が、一対の磁石及び強磁性体である例も同様である。上記清掃ヘッド固定機構が、一対の嵌合部である例としては、ブラケットと、清掃ヘッドに配置された、ブラケットと嵌合するように形成された溝部とが挙げられる。
【０１３０】
本開示の清掃具（本開示の使用）では、清掃具は、いわゆる、片手持ち、すなわち、清掃ヘッドが、１カ所のみにおいて、ブラケット用孔を介してブラケットに連結されていてもよく、そしていわゆる、両手持ち、すなわち、清掃ヘッドが、複数箇所において、ブラケット用孔を介してブラケットに連結されていてもよい。
【０１３１】
上記清掃具を片手持ちとすることにより、図１９に示されるように、清掃ヘッドのブラケットが存在しない側の端部を用いて狭空間を清掃しやすくなる。また、上記清掃具を両手持ちとすることにより、使用者の力が、清掃ヘッドに伝わりやすくなる。
【０１３２】
両手持ちの清掃具としては、例えば、清掃ヘッドの側面部の２カ所に配置された２つのブラケット用孔を介して、ブラケットに連結されているものが挙げられる。
本開示の清掃具（本開示の使用）が長手方向及び短手方向を有する場合には、上記２つのブラケット用孔は、清掃ヘッドの長手方向の両端に配置された、お互いに向かい合う２つの側面部又は清掃ヘッドの短手方向の両端に配置された、お互いに向かい合う２つの側面部であることができ、そして清掃ヘッドの長手方向の両端に配置された、お互いに向かい合う２つの側面部であることが好ましい。
【０１３３】
上記２つのブラケット用孔は、連続して一体化されていてもよく、そして分離されていてもよいが、単一のヘッド回転軸を有することが好ましい。
【符号の説明】
【０１３４】
１    清掃具
３    清掃ヘッド
５    ブラケット
７    清掃具用柄
３１    清掃シート
１１１    清掃面
１１３    第１清掃面
１１５    第２清掃面
１１７    ブラケット用孔
１１８    ブラケット保持部
２０１    ヘッド連結部
２０３    柄連結部
２０５    離間部
３０１    コネクティングロッド
３０３    第１継手部
３０５    第２継手部
３０７    第１柄部分
３０９    第２柄部分
３２１    第１固定具
３２３    囲繞部
３２５    第１接合部材
３２７    貫通孔
３２９    第１固定具用第２孔
３３１    第１開口部
３５１    第２固定具
３５３    第２接合部材
３５５    第２開口部
３６１    スリーブ
Ｐ    平面方向
Ｔ    厚さ方向
Ｔ2    第２厚さ方向
Ｌ    長手方向
Ｓ    短手方向
ＩＳ    仮想面
ＩＳT    厚さ方向中心仮想面
ＩＳB    ブラケット仮想面
ＲＡ1    ヘッド回転軸
ＲＡ2    挟持部回転軸
ＲＡ3    柄回転軸
ＲＡ4    柄軸
【図１】
2020075061.tif 000003
【図２】
2020075061.tif 000004
【図３】
2020075061.tif 000005
【図４】
2020075061.tif 000006
【図５】
2020075061.tif 000007
【図６】
2020075061.tif 000008
【図７】
2020075061.tif 000009
【図８】
2020075061.tif 000010
【図９】
2020075061.tif 000011
【図１０】
2020075061.tif 000012
【図１１】
2020075061.tif 000013
【図１２】
2020075061.tif 000014
【図１３】
2020075061.tif 000015
【図１４】
2020075061.tif 000016
【図１５】
2020075061.tif 000017
【図１６】
2020075061.tif 000018
【図１７】
2020075061.tif 000019
【図１８】
2020075061.tif 000020
【図１９】
2020075061.tif 000021